(57)【要約】【課題】  所定形状のアンダーヘアーのはみ出し部分のみを、熟練を要することなく、また細心の注意を払うことなく容易に剃り取り又は刈り取りできるアンダーヘアー形成用具を提供する。【解決手段】  所定形状のアンダーヘアー型シート板（１）の裏面に粘着剤層（２）が設けられてなるアンダーヘアー形成用具。  また、粘着剤層面にアンダーヘアー型シート板（１）と同形の剥離シート（３）を備え、かつその周縁部の内側に一定間隔を隔ててミシン目（６）を設けることも好ましい。  使用時に、ミシン目（６）外側の剥離シート（３）を剥脱し、その下面部分の粘着剤層（２）を露出させてから、該アンダーヘアー型シート板（１）の裏面を残存させるべきアンダーヘアー領域部に正確に押し当てることにより、容易かつ安全に定着することができる。  シート板は、透明又は半透明プラスチックス、布又は紙、あるいはアルミニウム、錫、銅等の金属であってもよい。【選択図】  図１
2007325918.tif 000002
【特許請求の範囲】
【請求項１】
所定形状のアンダーヘアー型シート板の裏面に粘着剤層が設けられてなることを特徴とするアンダーヘアー形成用具。
【請求項２】
所定形状のアンダーヘアー型シート板の裏面に粘着剤層と剥離シートとが順に積層されてなることを特徴とするアンダーヘアー形成用具。
【請求項３】
所定形状のアンダーヘアー型シート板の周縁部の裏面に粘着剤層が周設されてなることを特徴とするアンダーヘアー形成用具。
【請求項４】
所定形状のアンダーヘアー型シート板の周縁部の裏面に粘着剤層と剥離シートとが順に積層されてなることを特徴とするアンダーヘアー形成用具。
【請求項５】
所定形状のアンダーヘアー型シート板の裏面に、粘着剤層とアンダーヘアー型シート板と同形の剥離シートとが順に積層され、かつ該剥離シートの周縁部から所定間隔を隔てた内側にミシン目又はスリットが周設されてなることを特徴とするアンダーヘアー形成用具。
【請求項６】
シート板がプラスチックス製のものであることを特徴とする請求項１〜５のいずれか１項に記載のアンダーヘアー形成用具。
【請求項７】
シート板が透明又は半透明プラスチックス製のものであることを特徴とする請求項１〜５のいずれか１項に記載のアンダーヘアー形成用具。
【請求項８】
シート板が布製又は紙製のものであることを特徴とする請求項１〜５のいずれか１項に記載のアンダーヘアー形成用具。
【請求項９】
シート板がアルミニウム、錫、銅等の金属製のものであることを特徴とする請求項１〜５のいずれか１項に記載のアンダーヘアー形成用具。
【請求項１０】
アンダーヘアー型シート板の所定形状が、ハート型、ティアードロップ型、トライアングル型あるいはスクエア型から選択されるいずれか１種であることを特徴とする請求項１〜９のいずれか１項に記載のアンダーヘアー形成用具。
【請求項１１】
所定形状のアンダーヘアー型シート板の表面に取っ手部が設けられてなることを特徴とする請求項１〜１０のいずれか１項に記載のアンダーヘアー形成用具。
【請求項１２】
所定形状のアンダーヘアー型シート板の表面に装飾用のリボンからなる取っ手部が設けられてなることを特徴とする請求項１〜１０のいずれか１項に記載のアンダーヘアー形成用具。
【請求項１３】
所定形状のアンダーヘアー型シート板に大、中、小等各種サイズに形成するための切断用案内線を設けてなることを特徴とする請求項１〜１２のいずれか１項に記載のアンダーヘアー形成用具。
【発明の詳細な説明】
【技術分野】
【０００１】
本願発明は、アンダーヘアー形成用具に関するものであり、特に新体操、バレー、フィギュアスケート、水泳等の競技において、アンダーヘアーの輪郭が下着の縁部から外部にはみ出さず、かつアンダーヘアーの形状を美麗に整形された状態にするために使用するアンダーヘアー形成用具に関するものである。
【発明の開示】
【発明が解決しようとする課題】
【０００２】
従来、新体操、バレー、フィギュアスケート、水泳等の競技においては、アンダーヘアー（陰毛）の輪郭が下着の縁部から外部にはみ出すと、観客に不快感を与えることとなる。そのため、剃刀・鋏等を用いてアンダーヘアーの輪郭を整形していたが、非常に手間と注意力と熟練とを要していた。
【課題を解決するための手段】
【０００３】
本発明は、上記従来技術の課題を解決するもので、下記構成のアンダーヘアー形成用具を提供するものである。
[１]  所定形状のアンダーヘアー型シート板の裏面に粘着剤層が設けられてなることを特徴とするアンダーヘアー形成用具。
[２]  所定形状のアンダーヘアー型シート板の裏面に粘着剤層と剥離シートとが順に積層されてなることを特徴とするアンダーヘアー形成用具。
[３]  所定形状のアンダーヘアー型シート板の周縁部の裏面に粘着剤層が周設されてなることを特徴とするアンダーヘアー形成用具。
[４]  所定形状のアンダーヘアー型シート板の周縁部の裏面に粘着剤層と剥離シートとが順に積層されてなることを特徴とするアンダーヘアー形成用具。
【０００４】
[５]  所定形状のアンダーヘアー型シート板の裏面に、粘着剤層とアンダーヘアー型シート板と同形の剥離シートとが順に積層され、かつ該剥離シートの周縁部から所定間隔を隔てた内側にミシン目又はスリットが周設されてなることを特徴とするアンダーヘアー形成用具。
[６]  シート板がプラスチックス製のものであることを特徴とする前記[１]〜[５]のいずれか１項に記載のアンダーヘアー形成用具。
[７]  シート板が透明又は半透明プラスチックス製のものであることを特徴とする前記[１]〜[５]のいずれか１項に記載のアンダーヘアー形成用具。
[８]  シート板が布製又は紙製のものであることを特徴とする前記前記[１]〜[５]のいずれか１項に記載のアンダーヘアー形成用具。
【０００５】
[９]  シート板がアルミニウム、錫、銅等の金属製のものであることを特徴とする前記[１]〜[５]のいずれか１項に記載のアンダーヘアー形成用具。
[１０]  アンダーヘアー型シート板の所定形状が、ハート型、ティアードロップ型、トライアングル型あるいはスクエア型から選択されるいずれか１種であることを特徴とする前記[１]〜[９]のいずれか１項に記載のアンダーヘアー形成用具。
[１１]  所定形状のアンダーヘアー型シート板の表面に取っ手部が設けられてなることを特徴とする前記[１]〜[１０]のいずれか１項に記載のアンダーヘアー形成用具。
[１２]  所定形状のアンダーヘアー型シート板の表面に装飾用のリボンからなる取っ手部が設けられてなることを特徴とする前記[１]〜[１０]のいずれか１項に記載のアンダーヘアー形成用具。
[１３]  所定形状のアンダーヘアー型シート板に大、中、小等各種サイズに形成するための切断用案内線を設けてなることを特徴とする前記[１]〜[１２]のいずれか１項に記載のアンダーヘアー形成用具。
【発明の効果】
【０００６】
本発明のアンダーヘアー形成用具を使用すれば、所定形状のアンダーヘアー型シート板のシート板の裏面を、残存させるべきアンダーヘアー領域部に正確に押し当て粘着剤層を介して定着するだけで、所定形状のアンダーヘアーの必要部分は保護されるため、それ以外のはみ出し部分のみを、熟練を要することなく、また細心の注意を払うことなく容易に剃り取り、刈り取り又は除毛することができる。
また、粘着剤層面にアンダーヘアー型シート板と同形の剥離シートを備え、かつその周縁部の内側にミシン目を有する本発明のアンダーヘアー形成用具を使用すれば、ミシン目外側の剥離シートを剥脱し、その下面部分の粘着剤層を露出させてから、該アンダーヘアー型シート板の裏面を残存させるべきアンダーヘアー領域部に正確に押し当てることにより、アンダーヘアー形成用具を容易かつ安全に定着することができる。
その後、それ以外のはみ出し部分のみを、電気剃刀、除毛剤等により剃り取り、刈り取り又は除毛することによって、所定形状の綺麗なアンダーヘアーを容易に形成することができる。
なお、形成処理後はアンダーヘアー型シート板を引っ張って剥がすことにより容易に除去できる。
【発明を実施するための最良の形態】
【０００７】
本発明の実施の形態を実施例の図によって説明する。
実施例１：
図１は本発明の第１実施例のアンダーヘアー形成用具の平面図（ａ）、及びその中央断面図（ｂ）である。
図において、１は所定形状（ハート型）のアンダーヘアー型シート板であり、２はその裏面に貼着された粘着剤層である。さらにその上面にはアンダーヘアー型シート板と同形の剥離シート３が積層されている。
こうした構成のアンダーヘアー形成用具は、その使用に際して、まず剥離シート３を剥がして、粘着剤層２を露出させてから、該アンダーヘアー型シート板の裏面を、残存させるべきアンダーヘアー領域部に正確に押し当て、粘着剤層２をその表面に粘着させて定着する。
次いで、アンダーヘアー形成用具からはみ出した部分のアンダーヘアーを、剃刀又はバリカンを当てて剃り取り又は刈り取る。あるいは除毛剤を塗布して、除毛する。
この際、アンダーヘアー形成用具により、所定形状のアンダーヘアーの必要部分は保護されているため、それ以外のはみ出し部分のみが、熟練を要することなく、また細心の注意を払うことなく容易に剃り取り又は刈り取りあるいは除毛できる。
なお、本例ではアンダーヘアー型シート板の素材として、医療用粘着テープの一種である「マイクロポア  サージカルテープ１５３０」（商品名、スリーエムヘルスケア（株）発売の裏面にアクリル系粘着剤層を備えたレーヨン系不織布テープ）を用い、ハート型に型抜きして、本発明製品を製作した。
【０００８】
実施例２：
図２は本発明の第２実施例のアンダーヘアー形成用具の平面図（ａ）、及びその中央断面図（ｂ）である。
図において、１は所定形状（ハート型）のアンダーヘアー型シート板であり、２はその裏面に貼着された粘着剤層である。さらにその上面にはアンダーヘアー型シート板と同形の剥離シート３（３ａ，３ｂ）が積層されている。
さらに、剥離シート３の周縁部から所定間隔を隔てた内側にミシン目又はスリット６が周設されている。
こうした構成のアンダーヘアー形成用具は、その使用に際して、まず剥離シート３の周縁部の剥離シート３ａをミシン目６を介して剥脱し、その下面部分の粘着剤層２を露出させてから、該アンダーヘアー型シート板の裏面を、残存させるべきアンダーヘアー領域部に正確に押し当て、粘着剤層２を陰毛部表面に粘着させて定着する。
次いで、実施例１の場合と同様、アンダーヘアー形成用具からはみ出した部分のアンダーヘアーを、剃刀又はバリカンを当てて剃り取り又は刈り取る。あるいは除毛剤を塗布して、除毛する。この際、アンダーヘアー形成用具により、所定形状のアンダーヘアーの必要部分は保護されているため、それ以外のはみ出し部分のみが、熟練を要することなく、また細心の注意を払うことなく容易に剃り取り又は刈り取りあるいは除毛できる。
【０００９】
実施例３：
図３は本発明の第３実施例のアンダーヘアー形成用具の平面図である。
本例は、各種サイズの製品を製作することができるものであり、図において、ハート型のアンダーヘアー型シート板に切断用案内線４ａ，４ｂを付してあるものである。
これは、個人差あるいは好みにに応じて、大小サイズの製品をなし得るように、切断用案内線４ａ（中サイズ用），４ｂ（小サイズ用）を付したもので、必要に応じて、例えば中サイズ用の切断用案内線４ａに沿ってハサミ等で切断して中サイズ用のアンダーヘアー型シート板を製作することができる。
【００１０】
上記において、アンダーヘアー形成用具のシート板としては、プラスチック製のものが好ましく採用される。
透明又は半透明プラスチックスであることもよく、この場合は、残置されるアンダーヘアー部分の実際の形状が外部から透視できるので、実形状を感得でき、残置希望の形状の選択上も好ましい。
また、アンダーヘアー形成用具のシート板としては、ＰＥＴシートとホログラムフィルムとをラミネート加工して製造されたキラキラ感のある美麗なホログラムシートを採用することも好ましい。
そしてシート板としての、塩化ビニル樹脂、ポリエチレン樹脂、アクリル樹脂、ナイロン樹脂等のプラスチックスは、加工が容易で、薄く製作することもでき、着色も容易である。
また、シート板は布、不織布又は紙であってもよい。紙としては、耐水性のもの、水溶性のもの等が挙げられ、使い捨てできる利点がある。
さらに、シート板としては、アルミニウム、錫、銅等の金属製のもの、あるいはそれらとプラスチック製のものとの貼り合わせ品も好ましいものである。紙とプラスチックとの貼り合せ品や紙に樹脂を含浸させ硬化させたものであってもよい。
これらは、適宜角度の折り曲げ可能でかつその折り曲げ角度で形状保持でき、すなわちる自由に曲げることができ、かつその曲げられた形状を保持できるため、所要部に三次元的に正確に定着することができ、アンダーヘアーの整毛が正確かつ容易に実施できる。
【００１１】
アンダーヘアー型シート板の表面には取っ手を設けて、作業性を良くすることも好ましい。図４に示すごとく、取っ手として装飾用のリボン５を接着して設けておくことにより、取っ手としての機能を持たせた綺麗な飾りとなすことも好ましい。
【００１２】
アンダーヘアー型シート板の所定形状としては、図５に示すごとく、上記実施例のハート型（Ａ）のほか、ティアードロップ型（Ｂ）、トライアングル型（Ｃ）あるいはスクエア型（Ｄ）等が挙げられる。
【図面の簡単な説明】
【００１３】
【図１】本発明の第１実施例のアンダーヘアー形成用具の平面図及び中央断面図
【図２】本発明の第２実施例のアンダーヘアー形成用具の平面図及び中央断面図
【図３】本発明の第３実施例のアンダーヘアー形成用具の平面図
【図４】本発明の他の実施例のアンダーヘアー形成用具の平面図
【図５】本発明の他の実施例の各種形状のアンダーヘアー形成用具の平面図
【符号の説明】
【００１４】
１：アンダーヘアー型のシート板
２：粘着剤層
３（３ａ，３ｂ）：剥離シート
４（４ａ、４ｂ）：切断案内線
５：リボン
６：ミシン目又はスリット
【図１】
2007325918.tif 000003
【図２】
2007325918.tif 000004
【図３】
2007325918.tif 000005
【図４】
2007325918.tif 000006
【図５】
2007325918.tif 000007